(57)【特許請求の範囲】
【請求項１】
上下に位置する板状体と、両板状体の両側部を連結するように形成された筒状をなす側部桁と、それら側部桁の中間に形成された筒状をなす中間桁とから構成し、中間桁と両側部桁との間をフォークリフトのフォーク挿入口とするとともに、中間桁には積載物を締付け固定する締付材を収容するための収容部を設け、前記収容部は、中間桁に対して引き出し可能な収容箱である締付材収容部付きパレット。
【発明の詳細な説明】
【０００１】
【発明の属する技術分野】
本発明は、複数の積載物を運搬、移動する等の際に積載物を締付材を使用して緊結することができるとともに、締付材の不使用時には内部にその締付材を収容することができる締付材収容部付きパレットに関するものである。
【０００２】
【従来の技術】
従来、帯状をなす締付材によって緊結された複数の積載物をフォークリフトによって倉庫等に運搬、移動する際には、合成樹脂により矩形状に形成されたパレットが使用されている。このようなパレットは、裏面部及び表面部と、裏面部及び表面部の両側部間に設けられた一対の側部桁と、両側部桁間の中間に設けられた中間桁とから一体的に構成されている。
【０００３】
すなわち、裏面部及び表面部の両側部間は、長四角筒状をなす一対の側部桁によって連結されている。両側部桁の中間における裏面部及び表面部間には、長四角筒状をなす中間桁が設けられている。そして、両側部桁と中間桁との間には一対の挿通孔が形成され、この挿通孔内にはフォークリフトのフォークが挿入されるようになっている。
【０００４】
この種のパレットを使用する際には、まず、表面部上面に複数の積載物が載置される。次いで、これら積載物の上部が締付材によって緊結され、一体化される。この状態で、パレットの挿通孔内にフォークリフトのフォークが挿入され、運搬が行われる。
【０００５】
【発明が解決しようとする課題】
上記従来のパレットの不使用時において、積載物が少ないときには締付材を使用せず、パレットのみを使用する場合があるため、締付材とパレットはそれぞれ不使用時には、各々の専用の保管場所に保管されている。ところが、この従来のパレットを使用していて締付材が必要となった場合、締付材を専用の保管場所まで取りに行く必要があり、また、締付材を使用後に保管場所まで戻しに行かなければならず、このような作業が煩雑であるという問題があった。また、複数の締付材を使用した場合には、締付材を紛失するおそれがあり、パレットの数と締付材の数とが合わなくなるという問題があった。加えて、それぞれの不使用時の保管場所を必要とするという問題があった。
【０００６】
この発明は、このような従来技術に存在する問題点に着目してなされたものである。その目的とするところは、パレットと締付材とを一体的に保管することができるとともに、使用時には締付材を容易かつ迅速に使用することができる締付材収容部付きパレットを提供することにある。
【０００７】
【課題を解決するための手段】
上記の目的を達成するために、請求項１に記載の締付材収容部付きパレットの発明は、上下に位置する板状体と、両板状体の両側部を連結するように形成された筒状をなす側部桁と、それら側部桁の中間に形成された筒状をなす中間桁とから構成し、中間桁と両側部桁との間をフォークリフトのフォーク挿入口とするとともに、中間桁には積載物を締付け固定するための締付材を収容するための収容部を設けたものである。
【０００８】
また、請求項１に記載の締付材収容部付きパレットの発明は、前記収容部は、中間桁に対して引き出し可能な収容箱であるものである。
【００１１】
【発明の実施の形態】
以下、この発明の実施形態を、図面に基づいて詳細に説明する。
図１に示すように、締付材収容部付きパレットを構成する板状体としての載置板１１及び底板１２は、合成樹脂により正方形状に形成され、所定間隔だけ互いに離間した状態で配置されている。このパレットは、高さ方向の中央で２分割された下面デッキ２２及び上面デッキ２３から構成され、下面デッキ２２及び上面デッキ２３を位置合わせして熱溶着することにより形成されている。一対の側部桁１３は、載置板１１及び底板１２の側縁に沿って長四角筒状をなすように形成され、載置板１１及び底板１２の両側部を連結している。
【００１２】
中間桁１４は両側部桁１３と平行に延びるように両側部桁１３の中間に配置され、底板１２及び載置板１１間に長四角筒状をなすように設けられている。これら両側部桁１３と中間桁１４の間はフォーク挿入口１５となり、図示しないフォークリフトのフォークが挿入されるようになっている。
【００１３】
図１０に示すように、載置板１１及び底板１２には複数の嵌挿孔１６が貫設されている。複数の滑り止め部材１７は合成ゴムにより円筒状をなすように形成され、一端部が嵌挿孔１６から露出した状態で各嵌挿孔１６に嵌挿され、地面及び積載物３６と接触することにより、パレット及び積載物３６の位置ずれを防止するようになっている。
【００１４】
図２、図３及び図６に示すように、複数の桁部補強リブ１８は下面デッキ２２の上面において、両側部桁１３及び中間桁１４の内側に格子状に形成されている。複数の底部リブ１９は下面デッキ２２の底面において、両側部桁１３及び中間桁１４の底部を除く底板１２下面に格子状に形成され、各桁１３，１４と直交する方向に延びるように３本並列に配置されている。複数の上部リブ２０は上面デッキ２３の底面において、両側部桁１３及び中間桁１４間の載置板１１下面に碁盤目状をなすように形成されている。そして、各リブ１８，１９，２０はパレットに対して加えられる捩れ等の力を受け、その変形を防止するようになっている。
【００１５】
図２及び図３に示すように、両側部桁１３及び中間桁１４と底部リブ１９とに囲まれた内側部分の底板１２には４つの四角孔２１が貫設されている。
図１、図３及び図６に示すように、中間桁１４はパレットの外周面に開口する四角形状の開口部２４が形成されている。中間桁１４の開口部２４から中央にかけての内部には、下面デッキ２２側の中間桁１４に設けられた下部の収容空間２５ａと、上面デッキ２３側の中間桁１４に設けられた上部の収容空間２５ｂとにより収容空間２５が形成されている。そして、中間桁１４の収容空間２５には、収容部としての収容箱２６が引き出し可能に収容されている。
【００１６】
図１及び図９に示すように、収容箱２６は有底長四角箱状に形成され、外端部が中間桁１４の開口部２４から僅かに露出した状態となっている。収容箱２６の外端壁２７は、中間桁１４の開口部２４と比較してその面積が大きくなるように形成されている。そして、収容箱２６の外端壁２７周縁と中間桁１４の開口部２４周縁とが係合することによって、収納箱２６の収容空間２５奥部への移動を規制するようになっている。この収容箱２６の外端壁２７には中央に円孔２７ａが貫設され、この円孔２７ａに指を掛けることにより収容箱２６の引き出しを行うようになっている。
【００１７】
図３〜図５に示すように、中間桁１４下部の収容空間２５ａ内において、中間桁１４の底壁中央部には、ガイド部としてのガイドリブ２８が開口部２４から内奥部まで延びるように突出して形成されている。そして、収容箱２６を中間桁１４内から出し入れする際、このガイドリブ２８上に収容箱２６底面を摺動させることにより、収容空間２５内において収容箱２６の移動が案内されるようになっている。複数のサブガイドリブ２９は、ガイドリブ２８と直交する方向に延びるように中間桁１４の底壁に突出して形成され、収容箱２６の移動を案内するとともに、横方向へのがたつきを防止するようになっている。
【００１８】
中間桁１４の両側壁には、規制部としての複数の規制リブ３０が高さ方向に延びるように突出して形成されている。各規制リブ３０の先端縁には、板状をなす複数の規制板３１が各規制リブ３０に対して垂設されている。そして、収容箱２６を出し入れする際、収容箱２６が横方向へ移動しようとする場合には、収容箱２６の側壁と規制板３１とが係合することによって、横方向への移動を規制するようになっている。また、中間桁１４下部の収容空間２５ａ内において、最奥部の底壁上にも同様の規制リブ３０及び規制板３１が形成され、この規制板３１と収容箱２６の内端壁とが係合することによって、収容箱２６の中間桁１４中央方向への移動を規制するようになっている。
【００１９】
図６〜図８に示すように、中間桁１４上部の収容空間２５ｂ内において、中間桁１４の天板及び両側壁には、下部の収容空間２５ａに設けられたものと同様のガイドリブ２８、サブガイドリブ２９、規制リブ３０及び規制板３１が設けられている。そして、収容箱２６の横方向への移動及び中間桁１４中央方向への移動を規制するようになっている。
【００２０】
図５及び図９に示すように、収容箱２６底面の外端縁には、係合部としての係合溝３２が収容箱２６の幅方向に延びるように凹設されている。この係合溝３２と対応する中間桁１４の開口部２４下端には、その高さが前記ガイドリブ２８よりも若干高くなるように形成された係合突部３３が設けられている。そして、収容箱２６を中間桁１４内に収容した状態で係合突部３３と係合溝３２とが係合することにより、収容箱２６の中間桁１４内からの抜け出しが規制されている。
【００２１】
図１０に示すように、締付材としての巻き締め具３４は、布により帯状をなすように形成されるとともに、一端の表面両側部に面ファスナー３５が取着されるとともに、他端の裏面に面ファスナー３５が取着されている。
【００２２】
巻き締め具３４を使用する場合には、載置板１１上に積み重ねられた複数の積載物３６の上部に巻き付けて締付け固定するようになっている。また、図１に示すように、不使用状態の巻き締め具３４は円柱状をなすように巻回されるとともに、収容箱２６の内部に収容され、収容箱２６と一体的に中間桁１４の内部に収容されるようになっている。
【００２３】
前記締付材収容部付きパレットの作用について以下に記載する。
さて、本実施形態のパレットを形成する際には、下面デッキ２２及び上面デッキ２３がそれぞれ別の型枠によって形成される。そして、両デッキ２２，２３を上下に位置合わせした後、接触する部分を加熱して溶着することによってパレットが形成される。その後、中間桁１４内に巻回した巻き締め具３４を収容した収容箱２６が収容され、締付材収容部付きパレットが構成される。
【００２４】
図１に示すように、巻き締め具３４は、不使用時には巻回され、収容箱２６の内部に収容された状態で中間桁１４内に収容されることにより、締付材収容部付きパレットと一体的に保管される。そして、使用時には、まず、収容箱２６の円孔２７ａに指を掛け、収容箱２６を中間桁１４内から引き出すとともに、巻回された状態の巻き締め具３４を収容箱２６内から取り出した後、収容箱２６を中間桁１４内に収容する。
【００２５】
このように収容箱２６を中間桁１４内から出し入れするとき、収容箱２６はその底壁がガイドリブ２８上を摺動することによりガイドされながら移動する。そのとき、両側の規制板３１により横方向の移動が規制され、横ずれ、がたつき等することなく収容箱は迅速に引き出される。
【００２６】
また、収容箱２６を出し入れするとき、ガイドリブ２８上を摺動させることによって、収容箱２６の底壁に生ずる摩擦抵抗は極力小さくなる。加えて、このガイドリブ２８を成形する際、成形条件によってはガイドリブ２８が波状に形成されるおそれがある。しかし、このガイドリブ２８と直交するように形成された複数のサブガイドリブ２９によって、左右両方向から補強されたガイドリブ２８は直線状をなすように維持される。
【００２７】
図１０に示すように、巻き締め具３４は、使用時には積み重ねられた積載物３６の上部に巻き付けられ、一端の上に他端が載せられ、締め付けながら両端の面ファスナー３５を接合することにより、複数の積載物３６が締め付け固定される。そして、一対のフォーク挿入口１５に図示しないフォークリフトのフォークを挿入した後、複数の積載物３６を載せたパレットを持ち上げて運搬を行う。このとき、収容箱２６はその係合溝３２と中間桁１４開口部２４の下端に設けられた係合突部３３とが係合していることから、パレットを斜めにしたときや、パレットが振動したときにおいても、収納箱２６の中間桁１４からの抜け出しが規制される。
【００２８】
前記実施形態によって発揮される効果について、以下に記載する。
・  実施形態の締付材収容部付きパレットによれば、中間桁１４内に収容箱２６を設け、この収容箱２６内に巻き締め具３４を収容するように構成したことから、パレットと巻き締め具３４とを一体的に保管することができるとともに、使用時には巻き締め具３４を容易かつ迅速に使用することができる。
【００２９】
・  実施形態の締付材収容部付きパレットによれば、巻き締め具３４の収容部を収容箱２６とし、中間桁１４に対して引き出し可能に構成したことから、使用時には巻き締め具３４を、より容易かつ迅速にパレット内から取り出すことができる。
【００３０】
・  実施形態の締付材収容部付きパレットによれば、収容箱２６に係合溝３２を設け、これと対応するように中間桁１４の開口部２４下端に係合突部３３を設けたことから、パレット使用時において、例えばパレットが斜めになったり、振動したりしたときに収容箱２６が中間桁１４内から抜け出すことを防止することができる。
【００３１】
・  実施形態の締付材収容部付きパレットによれば、中間桁１４内に収容箱２６の移動を案内するガイドリブ２８と横方向への移動を規制する規制リブ３０とを設けたことから、収容箱２６の引き出し及び収容を、横ずれ、がたつき等することなく迅速に行うことができる。
【００３２】
・  実施形態の締付材収容部付きパレットによれば、規制リブ３０に加え、規制板３１を設けたことから、規制板３１と収容箱２６とがより広い面積で係合することによって、横方向への移動を確実に規制することができる。
【００３３】
・  実施形態の締付材収容部付きパレットによれば、収容箱２６の外端壁２７の面積を開口部２４の面積よりも大きくなるように形成したことから、開口部２４周縁と外端壁２７との係合により、収容箱２６の中間桁１４内奥部への移動を規制し、収容箱２６が中央桁１４内に入り込むことを防止することができる。
【００３４】
・  実施形態の締付材収容部付きパレットによれば、規制リブ３０及び規制板３１を中間桁１４収容空間２５の最奥部にも設けたことから、収容箱２６の中間桁１４内奥部への移動を確実に規制することができる。
【００３５】
なお、本実施形態は、次のように変更して具体化することも可能である。
・  図１１に示すように、本実施形態の規制板３１を省略し、規制リブ３０端縁と収容箱２６側壁とが係合するように構成してもよい。
【００３６】
このように構成した場合、実施形態の収容箱２６の引き出し及び収容時における横ずれ、がたつきを防止する効果に加えて、パレットの構成を簡易なものとすることができる。
【００３７】
・  本実施形態の収容箱２６において係合溝３２を省略し、底面の外端縁から若干中央寄りに係合突部を突設してもよい。また、中間桁１４の開口部２４下端に設けられた係合突部３３を省略してもよい。そして、開口部２４下端の内面を係合部とし、収容箱の係合突部と中間桁１４の係合部とを係合することにより、収容箱２６の中間桁１４内からの抜け出しを規制してもよい。
【００３８】
このように構成した場合においても、収容箱２６の中間桁１４内からの抜け出しを規制することができる。
・  本実施形態の下面デッキ２２を使用することなく、上面デッキ２３を２枚重ね合わせ、熱溶着することによって、上下両面を載置板とした両面使用パレットとして構成してもよい。
【００３９】
このように構成した場合、本実施形態の効果に加えて、パレットの両面を使用することができるとともに、同一のデッキを製作すればよく、製造装置を簡易化し、製作を容易に行うことができる。
【００４０】
・  本実施形態の嵌挿孔１６及び滑り止め部材１７を省略して構成してもよい。
このように構成した場合、パレットの構成を簡易なものとすることができる。
【００４１】
・  本実施形態の収容箱２６を省略し、中間桁１４の収容空間２５内に巻き締め具３４を収容することによって、収容空間２５を収容部として構成してもよい。
【００４２】
このように構成した場合、部品点数を減少させることによって、パレットの構成を簡易なものとすることができる。
・  本実施形態の締付材は、巻き締め具３４に限定されるものではなく、例えば合成樹脂フィルム又は合成繊維製の帯、紐等としてもよい。
【００４３】
・  本実施形態の収容箱２６の形状は、長四角箱状に限定されるものではなく、例えば円筒状等としてもよい。
・  本実施形態のサブガイドリブ２９を省略して構成してもよい。
【００４４】
このように構成した場合、パレットの構成を簡易なものとすることができる。
さらに、前記実施形態より把握できる技術的思想について以下に記載する。
・  前記中間桁の外端壁に開口部を設け、収容箱の外端部が開口部から露出するように構成するとともに、収容箱の外端壁の面積が開口部よりも大きくなるように構成し、外端壁と開口部周縁との係合関係により収容箱の中間桁内奥部への移動を規制した締付材収容部付きパレット。
【００４５】
このように構成した場合、開口部周縁と基端部側壁との係合により、収容箱の中間桁内奥部への移動を規制し、収容箱が中間桁内に入り込むことを防止することができる。
【００４６】
・  前記中間桁は、収容箱の移動方向に直交する方向に延びるように設けられ、収容箱の中間桁の内奥部への移動を規制するための規制部を備えたものである締付材収容部付きパレット。
【００４７】
このように構成した場合、収容箱と規制部との係合により、収容箱の中間桁内奥部への移動を確実に規制することができる。
・  前記中間桁又は収容箱には係合突部を設け、収容箱又は中間桁には前記係合突部と係合する係合部を設け、係合突部と係合部との係合関係により中間桁内からの収容箱の抜け出しを規制した締付材収容部付きパレット。この構成によれば、パレット使用時において、例えばパレットが斜めになったり、振動したりしたときに収容箱が中間桁内から抜け出すことを防止することができる。
・  前記中間桁は、収容箱の移動を案内するガイド部と横方向への移動を規制するための規制部とを備えたものである締付材収容部付きパレット。この構成によれば、収容箱の引き出し及び収容を、横ずれ、がたつき等することなく迅速に行うことができる。
【００４８】
【発明の効果】
以上詳述したように、この発明によれば、次のような効果を奏する。
請求項１に記載の発明の締付材収容部付きパレットによれば、パレットの中間桁内に設けられた収容部内に締付材を収容するように構成したことから、パレットと締付材とを一体的に保管することができるとともに、使用時には締付材を容易かつ迅速に使用することができる。また、収容部を収容箱とし、中間桁に対して引き出し可能に構成したことから、使用時には締付材をより容易かつ迅速にパレット内から取り出すことができる。
【図面の簡単な説明】
【図１】  実施形態の締付材収容部付きパレットを示す分解斜視図。
【図２】  締付材収容部付きパレットの下面デッキを示す底面図。
【図３】  締付材収容部付きパレットの下面デッキを示す平面図。
【図４】  下面デッキを示す一部を拡大した正断面図。
【図５】  下面デッキを示す一部を拡大した側断面図。
【図６】  締付材収容部付きパレットの上面デッキを示す底面図。
【図７】  上面デッキを示す一部を拡大した正断面図。
【図８】  上面デッキを示す一部を拡大した側断面図。
【図９】  収容箱を示す側面図。
【図１０】  締付材収容部付きパレットの使用状態を示す斜視図。
【図１１】  別形態の中間桁を示す部分平面図。
【符号の説明】
１１…板状体としての載置板、１２…板状体としての底板、１３…側部桁、１４…中間桁、１５…フォーク挿入口、２６…収容箱、２８…ガイド部としてのガイドリブ、３０…規制部としての規制リブ、３１…規制部としての規制板、３２…係合部としての係合溝、３３…係合突部、３４…締付材としての巻き締め具、３６…積載物。
【図１】
0004126123.tif 000002
【図２】
0004126123.tif 000003
【図３】
0004126123.tif 000004
【図４】
0004126123.tif 000005
【図５】
0004126123.tif 000006
【図６】
0004126123.tif 000007
【図７】
0004126123.tif 000008
【図８】
0004126123.tif 000009
【図９】
0004126123.tif 000010
【図１０】
0004126123.tif 000011
【図１１】
0004126123.tif 000012